(57)【要約】  【課題】  感染症に罹患した患者の感染情報を医療従事者に周知させることが可能な院内感染防止システムを提供する。  【解決手段】  院内の感染に関する情報を記憶する院内感染情報サーバ１と、前記記憶された院内感染情報を通信する院内ＬＡＮと、感染症患者の病室の入口、病床、患者の装着物の少なくとも一箇所に装着され、それぞれの所在を無線により送信する無線タグと、この無線タグの識別情報を読み取るための無線タグリーダ５と、前記無線タグからの電波が無線タグリーダ５によって認識されるような両者の位置関係となったならば院内感染情報を報知する携帯端末３と、を備える。【選択図】      図１
2006209583.tif 000002
【特許請求の範囲】
【請求項１】
院内の感染に関する情報を記憶する院内感染情報サーバと、前記記憶された院内感染情報を通信する通信手段と、感染症患者の病室の入口、病床、患者の装着物の少なくとも一箇所に装着され、それぞれの所在を無線により送信する無線タグと、この無線タグの識別情報を読み取るためのリーダと、前記無線タグからの電波が前記リーダによって認識されるような両者の位置関係となったならば院内感染情報を報知する手段と、を備えたことを特徴とする院内感染防止システム。
【請求項２】
前記院内感染情報が、空気感染、接触感染を含む感染経路によってその感染経路と関係する処置を対応づける経路処置関連化手段をさらに備えたことを特徴とする請求項１に記載の院内感染防止システム。
【発明の詳細な説明】
【技術分野】
【０００１】
本発明は、病院内における各種細菌等の微生物への感染状況を診断する院内感染防止システムに関するものである。
【背景技術】
【０００２】
従来の院内感染状況診断方法は、特許文献1に記載されている。特許文献1の記載内容は、病院内の入院患者および医師、看護婦等の院内作業者に対し、各種細菌への感染状態を検査し、保菌者の菌種データを菌種データファイルに取得した後、該菌種データファイルの菌種データと保菌者の常駐位置データとから菌種別保菌者の院内分布データを作成し、この院内分布データのうち指示された菌種別保菌者の院内分布を可視出力し、この出力結果によって菌種別保菌者の院内分布を診断する。これにより、1つの病院内での感染状況を的確に把握することができるものである。
【特許文献１】特開平7-79929号公報
【発明の開示】
【発明が解決しようとする課題】
【０００３】
しかしながら、特許文献1では、看護師や医師などの医療従事者が端末に向かって、院内の感染状況を調べなければ感染に関する情報を知ることができないので、その情報を知らない医療従事者は、不可抗力で感染してしまうおそれがあり、その感染を未然に防ぐことが配慮されていない。
【０００４】
本発明の目的は、感染症に罹患した患者の感染情報を医療従事者に周知させることが可能な院内感染防止システムを提供することにある。
【課題を解決するための手段】
【０００５】
上記目的は、院内の感染に関する情報を記憶する院内感染情報サーバと、前記記憶された院内感染情報を通信する通信手段と、感染症患者の病室の入口、病床、患者の装着物の少なくとも一箇所に装着され、それぞれの所在を無線により送信する無線タグと、この無線タグの識別情報を読み取るためのリーダと、前記無線タグからの電波が前記リーダによって認識されるような両者の位置関係となったならば院内感染情報を報知する手段と、を備えたことにより達成される。
【０００６】
また、前記院内感染情報が、空気感染、接触感染を含む感染経路によってその感染経路と関係する処置を対応づける経路処置関連化手段をさらに備えてもよい。
【発明の効果】
【０００７】
本発明によれば、感染症に罹患した患者の感染情報を医療従事者に周知させることができる。
【発明を実施するための最良の形態】
【０００８】
以下、本発明の実施形態について図面を用いて説明する。
図1に本発明の一実施形態におけるシステムの構成図を示す。
【０００９】
院内感染防止システムは、院内の感染に関する情報を保管する院内感染情報サーバ1と、院内感染情報サーバ内の情報を表示するための携帯端末3と、携帯端末に取り付けられた無線タグ(図2参照)と、無線タグの識別情報(ID)を読み取るための無線タグリーダ5と、院内感染情報サーバと携帯端末と無線タグリーダの情報通信を可能とする院内LAN(Local Area Network)及び無線LANアクセスポイント2と、から構成される。院内感染情報サーバ１には、どの病室のどの病床の患者がどういった感染症にかかっているかという情報が保管されている。
【００１０】
図2に本実施形態に用いる携帯端末3を示す。携帯端末3には、院内感染情報を表示するための表示画面3Aと、院内感染情報を音声情報として出力するためのスピーカ3Bと、前述した無線タグ４が取り付けられている。携帯端末3に取り付けられた無線タグ4にはユニークなIDが割り付けられており、無線タグ4のIDを読み取ることにより、携帯端末3を識別できる。
【００１１】
図3に無線タグリーダ5を取り付けた病室の入口を示す。無線タグリーダ5と病室番号の対応データはあらかじめ院内感染情報サーバ1に保管しておく。
無線タグリーダ5には通信距離1m程度のものを用いる。これにより、携帯端末を持った医療従事者が病室の入口に近づき、病室の扉7を開けようとした際に、携帯端末3に取り付けられた無線タグ4のIDを読み取ることにより、どの携帯端末(正確には、端末を持った医療従事者)がどの病室の入口に近づいたかを知ることができる。
【００１２】
院内感染情報サーバ1には、院内のどの病室に感染患者がいるかという情報が保管されているため、携帯端末3が近づいた病室の中に感染患者が居るか否かを判定することが可能となる。判定の結果、感染患者の居る病室の入口に携帯端末3が近づいたとなれば、その旨を携帯端末3の画面3Aに表示したり(図4参照)、スピーカ3Bから音声を発したり(図5参照)することにより、携帯端末を持っている医療従事者に注意を喚起することが可能となる。
【００１３】
図6に、感染患者のいる病室に携帯端末3が近づいたときの様子を示す。無線タグリーダ5A〜5Cを入口に取り付けてある病室には感染患者はおらず、無線タグリーダ5Dを取り付けた病室に感染患者が居るものとする。携帯端末３が無線タグリーダ5A〜5Cに近づいた際には携帯端末3の画面には何も表示されないが、無線タグリーダ5Dに近づいたときには携帯端末3の画面上に、「感染注意」のアラートを表示する。
【００１４】
以上のフローチャートを図7に示す。ステップ101では特定の病室に取り付けてある無線タグリーダ5が任意の無線タグ4を検知する。
【００１５】
ステップ102では無線タグ4を検知した無線タグリーダ5が取り付けられている病室内に感染症の患者がいるか否かを判定し、居なければステップ101に戻り、居ると判定されればステップ103に進む。
【００１６】
ステップ103では検知した無線タグ4のIDから携帯端末3を識別する。
ステップ104では識別した携帯端末3へ無線LANを介してアクセスする。
ステップ105ではアクセスした携帯端末3の画面に注意表示をするか、スピーカから注意の呼びかけを行い、携帯端末3のユーザである医療従事者に感染に注意すべきことを知らせる。
【００１７】
第2の実施形態について図8を用いて説明する。本実施形態では、無線タグリーダ5を各病床に取り付ける。無線タグリーダ5と病床番号はあらかじめ対応付けられており、その対応情報は、どの病床に感染患者がいるかという情報とともに院内感染情報サーバに保管しておく。無線タグリーダ5には通信距離50cm程度の物を用いる。第1の実施形態の場合と同様に、感染患者の居る病床に携帯端末3が近づいた際に、画面に注意を促すメッセージを表示する。
【００１８】
以上のフローチャートを図9に示す。ステップ201では特定の病床に取り付けてある無線タグリーダ5が任意の無線タグ4を検知する。ステップ202では無線タグ4を検知した無線タグリーダ5が取り付けられている病床に感染症の患者がいるか否かを判定し、居なければステップ201に戻り、居ると判定されればステップ203に進む。ステップ203では検知した無線タグ4のIDから携帯端末3を識別する。ステップ204では識別した携帯端末3へ無線LANを介してアクセスする。ステップ205ではアクセスした携帯端末3の画面に注意表示する。注意表示することにより、携帯端末3のユーザである医療従事者が感染患者に触れる前に、感染に注意すべきことを知らせる。
【００１９】
第3の実施形態を説明する。第1，第2の実施形態では、感染患者の居る病室、または病床に近づいた場合には必ず注意を喚起するようにメッセージを表示するようにしているが、過分な注意喚起は医療業務の妨げになる場合もある。
【００２０】
また、感染症にも、近づいただけで感染するもの、体液にふれなければ感染しないものなど様々な種類が有る。そこで、本実施形態では、感染症の種類と、医療従事者が該当患者に施す処置の種類から感染するか否かを判定し、感染の恐れがある場合のみ注意喚起する。以上のフローチャートを図10に示す。
【００２１】
ステップ301では特定の病床に取り付けてある無線タグリーダ5が任意の無線タグ4を検知する。
ステップ302では無線タグ4を検知した無線タグリーダ5が取り付けられている病床に感染症の患者がいるか否かを判定し、居なければステップ301に戻り、居ると判定されればステップ303に進む。
ステップ303では携帯端末3のユーザである医療従事者が該当患者に施す処置をリストアップする。
【００２２】
ステップ304ではステップ303でリストアップされた処置を施したときに感染するか否かを判定し、感染の恐れが無い場合はステップ301に戻り、そうでなければステップ305に進む。
ステップ305では検知した無線タグ4のIDから携帯端末3を識別する。
ステップ306では識別した携帯端末3へ無線LANを介してアクセスする。
ステップ307ではアクセスした携帯端末3の画面に注意表示する。
【００２３】
なお、第1〜3の実施形態において、無線タグ4と無線タグリーダ5の取り付け方を反対にしてもこれまで述べた説明が成り立つ。
【００２４】
第4の実施形態について説明する。本実施形態では、無線タグ4を患者自身、あるいは患者の常時携帯物(リストバンド等)に取り付け、無線タグリーダ5を携帯端末3取り付けておく。
無線タグ4と患者はあらかじめ対応付けられており、その対応情報は、どの患者が感染症であるかという情報とともに院内感染情報サーバに保管しておく。
無線タグリーダ5には通信距離50cm程度の物を用いる。第1の実施形態の場合と同様に、感染患者に携帯端末3が近づいた際、画面に注意を促すメッセージを表示することにより、携帯端末3のユーザである医療従事者に注意を喚起する。
【００２５】
第5の実施形態について説明する。本実施形態では、無線タグ4を患者自身、あるいは患者の常時携帯物(リストバンド等)に取り付け、無線タグリーダ5を病室固定の表示装置に取り付けておく。
無線タグリーダ5には通信距離50cm程度の物を用い、病室固定の表示装置は病室内の入口近傍に取り付けておく。無線タグ4と患者はあらかじめ対応付けられており、その対応情報は、どの患者が感染症であるかという情報とともに院内感染情報サーバに保管しておく。感染症患者が病室内の入口近傍に取り付けた表示装置に近づいた際に、感染症である旨を表示することにより、感染症患者自身に注意を促し、感染症の患者が無意識のうちに感染を広げることを防止できる。
上記実施形態によれば、医療従事者が無意識のうちに感染すること、また患者や感染者の所持品を感染源としてしまうことや、感染症の患者が無意識のうちに感染を広げることを防止できる。
【図面の簡単な説明】
【００２６】
【図１】本発明の院内感染防止システムの構成例を示すブロック図。
【図２】図1の携帯端末の一例を示すブロック図。
【図３】図1の無線タグリーダが設置された病室の扉を示す構成図。
【図４】医療従事者に注意を促すメッセージを携帯端末の画面に表示した例。
【図５】医療従事者に注意を促す音声メッセージを携帯端末のスピーカから発した例。
【図６】感染者の病室に医療従事者が近づいた際に、携帯端末にメッセージを表示した例。
【図７】第1の実施形態の動作を説明するフローチャート。
【図８】感染者の病床に医療従事者が近づいた際に、携帯端末にメッセージを表示した例。
【図９】第2の実施形態の動作を説明するフローチャート。
【図１０】第3の実施形態の動作を説明するフローチャート。
【符号の説明】
【００２７】
１…院内感染情報サーバ、3…携帯端末、5…無線タグリーダ
【図１】
2006209583.tif 000003
【図２】
2006209583.tif 000004
【図３】
2006209583.tif 000005
【図４】
2006209583.tif 000006
【図５】
2006209583.tif 000007
【図６】
2006209583.tif 000008
【図７】
2006209583.tif 000009
【図８】
2006209583.tif 000010
【図９】
2006209583.tif 000011
【図１０】
2006209583.tif 000012